(57)【要約】【課題】趣味性が高く、エネルギー損失を低減し、ガス噴出初速及び噴出効率を高め、命中精度を向上し、生ガスの噴出を低減でき、ガスの噴出を安定的にし、ガスの効率（燃費）を向上し、コンパクトで、外観上の体裁を損なわず、多くのガスを気蓄でき、構成簡素で、量産し易く、経済的なカートリッジ式ライフル型玩具ガス銃を提供する。【解決手段】薬室の下方にガス気蓄室５を配置し、ガスタンクユニットＣには、ガス気蓄室５と、ガス気蓄室５の後部がわで且つガス気蓄室５より上方に配置するガス流路６と、バルブ機構とを設け、ボルトユニットＥのボルト本体５０先端部分には、ガス流路６とカートリッジＦの後端開口部分とを連通するガス流路５５を形成し、ガス気蓄室５内のガスが、バルブ機構、ガス流路６、ガス流路５５を経て、カートリッジＦの先端部分にセットした弾９０まで到達し、ガスの噴出圧力によって弾９０を発射できるよう構成する。【選択図】図３
2011099580.tif 000002
【特許請求の範囲】
【請求項１】
ボルトアクション機構を備えたカートリッジ式ライフル型玩具ガス銃に於いて、レシーバーの前部に装着された薬室ユニットの薬室の下方にガスタンクユニットのガス気蓄室を配置し、ガスタンクユニットには、ガス気蓄室と、このガス気蓄室の後部がわで且つガス気蓄室より上方に配置されるガス流路と、ガス気蓄室内のガスをガス流路内に供給自在なバルブ機構とを設け、レシーバーの後部に内装されるボルトユニットのボルト本体の先端部分には、ガスタンクユニットのガス流路と、薬室ユニットの薬室に装填されるカートリッジの後端開口部分とを連通可能なガス流路を形成し、ガスタンクユニットのガス気蓄室内のガスが、バルブ機構、ガスタンクユニットのガス流路、ボルト本体のガス流路を経て、カートリッジの先端部分にセットされている弾まで到達し、このガスの噴出圧力によって弾を発射できるよう構成したことを特徴とするカートリッジ式ライフル型玩具ガス銃。
【請求項２】
前記バルブ機構は、主バルブの上下動によって開閉自在となるように形成され、この主バルブを下方に押圧可能なバルブ用カムを設け、このバルブ用カムは、ボルト本体の先端がわに配されると共に、引金に連繋せしめられ、引金の操作によって、バルブ用カムが揺動し、主バルブを下方に押圧して、バルブ機構が開くように構成したことを特徴とする請求項１記載のカートリッジ式ライフル型玩具ガス銃。
【請求項３】
前記ガスタンクユニットのガスタンク本体の前部に、可変調節可能となるホップアップ機構のホップアップネジを配したことを特徴とする請求項１または請求項２記載のカートリッジ式ライフル型玩具ガス銃。
【発明の詳細な説明】
【技術分野】
【０００１】
本発明は、球形の弾（所謂ＢＢ弾）がセットされたカートリッジを装填できるようにしたボルトアクション機構を備えたカートリッジ式ライフル型玩具ガス銃に係り、特に、カートリッジを使用することによって実銃に近い雰囲気が味わえる趣味性の高さを維持でき、しかも、タンク内に気蓄したガスの噴出状態を安定させると共に、弾を発射するためのガスの噴出初速を高められるようにし、また、ガスの効率（燃費）を向上させ、弾の発射に関する諸性能を向上できるように工夫したカートリッジ式ライフル型玩具ガス銃に関するものである。
【背景技術】
【０００２】
従来、この種のボルトアクション機構を備えたライフル型の玩具ガス銃にあっては、例えば、特許文献１のようなライフル型の玩具ガス銃が本願発明者によって既に創出されている。
これは、ボルトアクション機構を備えたライフル型の玩具ガス銃において、レシーバの下部に、バレルの手前へ弾丸を１個ずつ送り出して保持する給弾部と、前記給弾部による弾丸の送り出し位置の背後へ向けてバルブの出口側を配置させたガス蓄圧室とを配設せしめ、前記ボルトアクション機構のボルトヘッドには、ボルトを前進させてロックした状態で前記給弾部に保持されている弾丸を前記バレル内に圧入すると共に、前記バルブの出口側と前記バレルの後端部との間にガス通路を構成する着弾・通気機能部を形成しておき、トリガの操作に伴う前記ボルトアクション機構の擬似発射ピンの前進動作に連動して前記バルブを瞬時開放させるバルブ開放機構を設けたものである。
ところが、前述のボルトアクション機構を備えたライフル型の玩具ガス銃にあっては、カートリッジを利用せずに、給弾部から弾（ＢＢ弾）がそのまま連続して送り出せるように構成されているため、実銃に近い雰囲気を味わうことができず、趣味性が低い難点があった。しかも、ガス蓄圧室がボルトの下方にある（実銃での弾倉部分にある）ため、弾倉を設けることができない難点もあった。また、ガス蓄圧室や、バルブや、ガス通路等のガスの移動部分が前後方向に長く配置されるようになり、これをコンパクトに構成することができない難点もあった。
【先行技術文献】
【特許文献】
【０００３】
【特許文献１】特開２００３−７５０９６号公報
【発明の概要】
【発明が解決しようとする課題】
【０００４】
そこで、本発明は、カートリッジを使用することによって実銃に近い雰囲気が味わえる趣味性の高さを維持でき、しかも、タンク内に気蓄したガスの噴出状態を安定させることができ、弾を発射するためのガスの噴出初速を高められ、また、ガスの効率（燃費）を向上でき、弾の発射に関する諸性能を向上できるようにし、更に、構成が簡素で、ガスタンクユニットをコンパクトに構成でき、量産し易く、経済的なカートリッジ式ライフル型玩具ガス銃を提供すべく開発されたものである。
【課題を解決するための手段】
【０００５】
しかして、前述の如き課題等を達成できるようにすべく、請求項１記載のカートリッジ式ライフル型玩具ガス銃にあっては、ボルトアクション機構を備えたカートリッジ式ライフル型玩具ガス銃に於いて、レシーバーＡの前部に装着された薬室ユニットＢの薬室の下方にガスタンクユニットＣのガス気蓄室５を配置し、ガスタンクユニットＣには、ガス気蓄室５と、このガス気蓄室５の後部がわで且つガス気蓄室５より上方に配置されるガス流路６と、ガス気蓄室５内のガスをガス流路６内に供給自在なバルブ機構とを設け、レシーバーＡの後部に内装されるボルトユニットＥのボルト本体５０の先端部分には、ガスタンクユニットＣのガス流路６と、薬室ユニットＢの薬室に装填されるカートリッジＦの後端開口部分とを連通可能なガス流路５５を形成し、ガスタンクユニットＣのガス気蓄室５内のガスが、バルブ機構、ガスタンクユニットＣのガス流路６、ボルト本体５０のガス流路５５を経て、カートリッジＦの先端部分にセットされている弾９０まで到達し、このガスの噴出圧力によって弾９０を発射できるよう構成する手段を採用した。
【０００６】
また、請求項２記載のカートリッジ式ライフル型玩具ガス銃にあっては、前記バルブ機構は、主バルブ１０の上下動によって開閉自在となるように形成され、この主バルブ１０を下方に押圧可能なバルブ用カム５４を設け、このバルブ用カム５４は、ボルト本体５０の先端がわに配されると共に、引金７０に連繋せしめられ、引金７０の操作によって、バルブ用カム５４が揺動し、主バルブ１０を下方に押圧して、バルブ機構が開くように構成する手段を採用した。
【０００７】
更に、請求項３記載のカートリッジ式ライフル型玩具ガス銃にあっては、前記ガスタンクユニットＣのガスタンク本体１の前部に、可変調節可能となるホップアップ機構のホップアップネジ３０を配する手段を採用した。
【発明の効果】
【０００８】
従って、請求項１のカートリッジ式ライフル型玩具ガス銃によれば、ボトルアクション機能を備えると共に、カートリッジＦを使用しているので、より実銃に近い雰囲気が味わえる趣味性の高いカートリッジ式ライフル型玩具ガス銃となる。しかも、構成が簡素で、量産し易く、経済的となり、改造し難く、安全性の高いカートリッジ式ライフル型玩具ガス銃となる。
【０００９】
特に、ガスタンクユニットＣのガス気蓄室５から薬室ユニットＢの薬室に装填されるカートリッジＦの後端開口部分との間（バルブ機構、ガス流路６、ガス流路５５）を最短で結ぶことができるようになり、ガスのエネルギー損失を低減でき、弾９０を発射するためのガスの噴出初速及び噴出効率を高められるようになる。ひいては、命中精度を向上できるようにもなる。
【００１０】
また、ガス流路６とガス流路５５がガス気蓄室５より上方に配置されるので、弾９０を発射するためのガスの噴出時に、生ガス（完全に気化していない気液混合状態のもの）を噴出することが少なくなり、弾９０を発射するためのガスの噴出が安定的となると共に、ガスの効率（燃費）も向上し、弾９０の発射に関する諸性能を向上できるようになる。
【００１１】
更に、ガスタンクユニットＣと、バルブ機構と、ガスタンクユニットＣのガス流路６部分と、ボルト本体５０のガス流路５５部分とをコンパクトに構成できるようになり、ライフル式玩具ガス銃の外観上の体裁を損なうような虞もなくなる。ひいては、ガスタンクユニットＣのガス気蓄室５を大きく構成することも可能となり、より多くのガスを気蓄できるようにもなる。
【００１２】
加えて、カートリッジＦの先端部分に弾９０がセットされているので、弾９０をより銃身Ｄ近くに配置できるようになり、弾９０の命中精度を高められるようになる。
【００１３】
また、請求項２のカートリッジ式ライフル型玩具ガス銃によれば、バルブ機構をコンパクトに構成できるようになると共に、バルブ機構の主バルブ１０をバルブ用カム５４によって確実に作動できるようになる。しかも、バルブ用カム５４は、ボルト本体５０の先端がわに配してあるため、バルブ機構をカートリッジＦの後端開口部分により近づけて設けることができるようになる。加えて、バルブ用カム５４は、外部に露出せず、外観上の体裁も良いものとなる。
【００１４】
更に、請求項３のカートリッジ式ライフル型玩具ガス銃によれば、ガスタンクユニットＣのガスタンク本体１の前部に、ホップアップネジ３０を配してあるので、ホップアップ機能の可変調節が行い易くなると共に、ホップアップ機構とガスタンクユニットＣとをコンパクトに且つバランス良く配置できるようになる。
【図面の簡単な説明】
【００１５】
【図１】本発明のカートリッジ式ライフル型玩具ガス銃の外観を例示する部分正面図である。
【図２】本発明のカートリッジ式ライフル型玩具ガス銃を例示する部分分解斜視図である。
【図３】本発明のカートリッジ式ライフル型玩具ガス銃を例示する部分正断面図である。
【図４】本発明のカートリッジ式ライフル型玩具ガス銃の一部を例示する分解斜視図である。
【図５】本発明のカートリッジ式ライフル型玩具ガス銃を例示する部分正断面図である。
【図６】本発明のカートリッジ式ライフル型玩具ガス銃を例示する部分正断面図である。
【図７】本発明のカートリッジ式ライフル型玩具ガス銃を例示する部分正断面図である。
【発明を実施するための形態】
【００１６】
以下、本発明を説明すると、次の通りである。
本発明は、樹脂製で球形の弾９０（所謂ＢＢ弾）がセットされたカートリッジＦを装填できるようにしたボルトアクション機構を備えたカートリッジ式ライフル型玩具ガス銃である。
具体的には、レシーバーＡの前部に装着された薬室ユニットＢの薬室の下方にガスタンクユニットＣのガス気蓄室５を配置し、ガスタンクユニットＣには、ガス気蓄室５と、このガス気蓄室５の後部がわで且つガス気蓄室５より上方に配置されるガス流路６と、ガス気蓄室５内のガスをガス流路６内に供給自在なバルブ機構とを設ける。
そして、レシーバーＡの後部に内装されるボルトユニットＥのボルト本体５０の先端部分には、ガスタンクユニットＣのガス流路６と、薬室ユニットＢの薬室に装填されるカートリッジＦの後端開口部分とを連通可能なガス流路５５を形成し、ガスタンクユニットＣのガス気蓄室５内のガスが、バルブ機構、ガスタンクユニットＣのガス流路６、ボルト本体５０のガス流路５５を経て、カートリッジＦの先端部分にセットされている弾９０まで到達し、このガスの噴出圧力によって弾９０を発射できるよう構成することにより、前記課題を達成した。
【実施例】
【００１７】
図示例のカートリッジ式ライフル型玩具ガス銃は、レシーバーＡと、薬室ユニットＢと、ガスタンクユニットＣと、銃身Ｄと、ボルトユニットＥと、カートリッジＦと、引金ユニットＧと、弾倉ユニットＨと、銃床Ｊとを備えたものである。
【００１８】
前記レシーバーＡは、例えば、金属材（或いは樹脂材や複合材でも良い）によって一体的に構成されており、銃床Ｊの上端部分に固定されている。しかも、全体が筒状を呈し、その筒芯方向中央部分には、ボルトアクションによってカートリッジＦが取出し可能となるような比較的大きな開口部が形成されている。
【００１９】
前記薬室ユニットＢは、例えば、樹脂材（或いは複合材でも良い）によって一体的に構成されており、その全体が筒状を呈し、その後がわ部分がレシーバーＡ内に収まるように装着されている。しかも、薬室ユニットＢの後部内が薬室となり、カートリッジＦを収容できるように形成されている。
【００２０】
前記ガスタンクユニットＣは、例えば、金属材によって構成されており、薬室ユニットＢの下方に位置するように配設されている。
また、ガスタンクユニットＣは、例えば、ガスタンク本体１と、このガスタンク本体１の前端部分に固定ピン７を介して固定されるキャップ２と、ガスタンク本体１の後端上部に固定ネジ８を介して固定される主バルブハウジング３とからなり、ガスタンク本体１内にはガス気蓄室５が形成され、ガスタンク本体１の後端部及び主バルブハウジング３内には、バルブ機構が内装され、主バルブハウジング３内にはガス流路６が形成されている。
【００２１】
前記バルブ機構は、例えば、主バルブ１０と、主バルブスリーブ１１と、スプリング１２と、複数のＯリング１３、１４、１５、１６とを備えたものである。
【００２２】
前記主バルブ１０は、例えば、金属材（或いは樹脂材や複合材でも良い）によって形成されており、全体が軸棒状を呈し、その長手方向中央部分に傘状に膨出する弁部が周設されている。しかも、主バルブ１０は、上下方向に摺動自在となるように配されており、その上端部分は、主バルブハウジング３に設けた貫通孔を介して主バルブハウジング３外表面に露出するように形成されている。
【００２３】
前記主バルブスリーブ１１は、例えば、金属材（或いは樹脂材や複合材でも良い）によって形成されており、その下端面には、主バルブ１０の弁部によって開閉可能となるようなガスの流入口が設けられ、その前側面には、エルボ上のガス流路６を介して流入口に連通するようなガスの流出口が設けられている。
【００２４】
前記スプリング１２は、例えば、コイルスプリング状を呈し、主バルブ１０の下端部に装着されて、主バルブ１０が常時上方に移動するような弾発力を付勢できるよう設けられたものである。すなわち、主バルブ１０の弁部によって主バルブスリーブ１１のガスの流入口を閉鎖できるように形成されている。
【００２５】
前記Ｏリング１３、１４、１５、１６は、例えば、ゴム材（或いは樹脂材や複合材でも良い）によって形成されており、主バルブ１０とガスの流入口と間の気密状態の維持や、主バルブ１０と主バルブハウジング３の貫通孔との間の気密状態の維持や、主バルブスリーブ１１と主バルブハウジング３との間の隙間の気密状態の維持や、ガスタンク本体１と主バルブハウジング３との接続部分の間の気密状態の維持等を図るために設けられたものである。
【００２６】
図中１７は、例えば、金属材（或いは樹脂材や複合材でも良い）によって棒状に形成される固定ピンで、この固定ピン１７は、主バルブハウジング３に水平に貫通されると共に、主バルブスリーブ１１の後側面に設けた凹部に係止されて、主バルブスリーブ１１を主バルブハウジング３に安定的に固定できるようにしたものである。
【００２７】
図中１８は、例えば、金属材（或いは樹脂材や複合材でも良い）によって円筒状に形成されるピンで、このピン１８は、主バルブハウジング３をガスタンク本体１に固定できるように、主バルブハウジング３の前端部と、ガスタンク本体１の上端部分とを貫通できるように設けられたものである。
【００２８】
図中２０は、例えば、ゴム材（或いは樹脂材や複合材でも良い）によって形成されるパッキンで、このパッキン２０は、主バルブハウジング３の前がわ上部にハウジングカバー２１を介して固定されると共に、その中央空間部がガス流路６に連通されるように形成されている。すなわち、このパッキン２０は、レシーバーＡ内を前後に摺動するボルト本体５０に密着すると共に、ボルト本体５０の先端部分に設けたエルボ状のガス流路５５と、主バルブハウジング３内のガス流路６との気密状態を維持できるように設けられたものである。
尚、前記ハウジングカバー２１は、パッキン２０を保護すると共に、パッキン２０を所定位置に保持できるように設けられており、固定ネジ２２を介して主バルブハウジング３に固定されている。
【００２９】
図中２３は、例えば、ゴム材（或いは樹脂材や複合材でも良い）によって形成されるＯリングで、このＯリング２３は、ガスタンク本体１とキャップ２との間の気密状態を維持できるように設けられたものである。
【００３０】
図中２５は、例えば、ガスタンク本体１の後端下部に設けられた注入バルブで、この注入バルブ２５から液状ガスをガスタンク本体１内に注入できるようにしたものである。
【００３１】
また、前記ガスタンクユニットＣのガスタンク本体１の前部に固定したキャップ２には、可変調節可能なホップアップ機構が付設されている。
そして、このホップアップ機構は、上下方向に沿って配されると共に、キャップ２の前部に正逆回転自在に螺着されるホップアップネジ３０と、このホップアップネジ３０の先端部分に装着されてホップアップネジ３０と共に昇降可能なコネクター３１と、このコネクター３１が上下方向にのみ移動できるように案内するガイド３２と、このガイド３２をキャップ２に固定する取付ネジ３３と、ホップアップネジ３０の外周側面に当接可能な戻り止め突起３５と、この戻り止め突起３５をホップアップネジ３０がわに常時圧接させるスプリング３６と、このスプリング３６の基端部分を受けるようにキャップ２に螺着される止ネジ３７と、薬室ユニットＢの前端がわ上部に設けた孔部に配される弾性摩擦部材４０と、薬室ユニットＢの前端がわ上部に上下方向に沿って揺動自在となるよう装着される作動レバー４１と、この作動レバー４１の下部に設けられると共に、弾性摩擦部材４０を下方に圧迫可能な突起体４２と、この突起体４２が弾性摩擦部材４０から離れる向きに作動レバー４１に弾発力を付勢するスプリング４３と、作動レバー４１の先端部分に係止されると共に、前記コネクター３１に連結される連結体４４とからなっている。
すなわち、ホップアップネジ３０を回転せしめて上下動させることにより、コネクター３１及び連結体４４を介して作動レバー４１を上下に揺動させ、突起体４２が弾性摩擦部材４０を圧迫して下方に突出する量を調節することで、カートリッジＦから発射された弾９０が、前記弾性摩擦部材４０の突出部分に触れることにより、弾９０に上向き回転を与えて、弾９０の飛距離を伸ばせるようにすると共に、命中精度を高められるように構成されたものである。
【００３２】
前記銃身Ｄは、例えば、金属材（或いは樹脂材や複合材でも良い）によって一体的に構成されており、レシーバーＡの前端部分に固定されている。
尚、図中Ｄ１は、銃身Ｄに内装される内銃身で、金属材（或いは樹脂材や複合材でも良い）によって一体的に構成されており、この内銃身Ｄ１は、弾９０の実際の銃身となるもので、薬室ユニットＢの前端部分に固定されている。
【００３３】
前記ボルトユニットＥは、例えば、金属材によって構成されており、レシーバーＡ内を前後方向に摺動自在となるよう内装されるボルト本体５０と、このボルト本体５０内を前後方向に摺動自在となるよう内装される撃茎５２と、この撃茎５２が前がわに常時移動する向きに弾発力を付与するコイルバネ５３と、ボルト本体５０の前部に内装されると共に、撃茎５２の前端部分によって押圧されることにより揺動して、前記主バルブ１０の上端部分を下方に瞬時押し込めるよう形成されているバルブ用カム５４と、ボルト本体５０の前端部分に形成されると共に、ボルト本体５０が最前方位置に停止しているときに、ガス流路６と、カートリッジＦの後端開口とを連通できるようにしたエルボ状のガス流路５５とを備えている。
図中５１は、ボルト本体５０の後端がわに連設されるハンドルで、このハンドル５１を手指によって操作することでボルトアクションが行えるように形成されている。
【００３４】
前記カートリッジＦは、例えば、樹脂材（或いは金属材や複合材でも良い）によって構成されており、その後端開口部分にはゴム材（或いは樹脂材や複合材でも良い）によって形成されるシール６０が内装されている、尚、このシール６０は、ガス流路５５とカートリッジＦの後端開口部分との気密性を維持できるように設けられたものである。
【００３５】
前記引金ユニットＧは、例えば、金属材や樹脂材や複合材等によって構成されており、引金７０と、この引金７０に連繋して作動する逆釣７１とを備えたもので、逆釣７１は、撃茎５２がコイルバネ５３の弾発力に抗して後退しているときに、撃茎５２の一部に係止されて、その状態を維持でき、しかも、引金７０を引くことにより揺動して、撃茎５２の一部との係止状態を解除できるように形成されている。
【００３６】
前記弾倉ユニットＨは、例えば、金属材や樹脂材や複合材等によって構成されており、カートリッジＦを複数収納できる弾倉８０や、この弾倉８０の下端開口を閉鎖可能な底板８１等を備えている。
【００３７】
前記銃床Ｊは、例えば、木材（或いは、樹脂材や複合材でも良い）によって構成されており、適宜形状に形成できるものである。
【００３８】
前記弾９０は、例えば、樹脂材等によって所定寸法の球形状に形成された所謂ＢＢ弾が利用される。
【００３９】
本発明は、以上に述べた実施形態に限られるものではなく、発明の要旨を逸脱しない範囲内で各種の変更が可能なものである。
【産業上の利用可能性】
【００４０】
しかして、本発明のカートリッジ式ライフル型玩具ガス銃によれば、趣味性が高く、エネルギー損失を低減でき、ガス噴出初速及び噴出効率を高められ、命中精度を向上することが可能で、生ガスの噴出を低減でき、ガスの噴出が安定的となり、ガスの効率（燃費）が向上するようになる。
【符号の説明】
【００４１】
Ａ      レシーバー
Ｂ      薬室ユニット
Ｃ      ガスタンクユニット
１      ガスタンク本体
２      キャップ
３      主バルブハウジング
５      ガス気蓄室
６      ガス流路
７      固定ピン
８      固定ネジ
１０    主バルブ
１１    主バルブスリーブ
１２    スプリング
１３    Ｏリング
１４    Ｏリング
１５    Ｏリング
１６    Ｏリング
１７    固定ピン
１８    ピン
２０    パッキン
２１    ハウジングカバー
２２    固定ネジ
２３    Ｏリング
２５    注入バルブ
３０    ホップアップネジ
３１    コネクター
３２    ガイド
３３    取付ネジ
３５    戻り止め突起
３６    スプリング
３７    止ネジ
４０    弾性摩擦部材
４１    作動レバー
４２    突起体
４３    スプリング
４４    連結体
Ｄ      銃身
Ｄ１    内銃身
Ｅ      ボルトユニット
５０    ボルト本体
５１    ハンドル
５２    撃茎
５３    コイルバネ
５４    バルブ用カム
５５    ガス流路
Ｆ      カートリッジ
６０    シール
Ｇ      引金ユニット
７０    引金
７１    逆釣
Ｈ      弾倉ユニット
８０    弾倉
８１    底板
Ｊ      銃床
９０    弾
【図１】
2011099580.tif 000003
【図２】
2011099580.tif 000004
【図３】
2011099580.tif 000005
【図４】
2011099580.tif 000006
【図５】
2011099580.tif 000007
【図６】
2011099580.tif 000008
【図７】
2011099580.tif 000009